(57)【特許請求の範囲】
【請求項１】
複数本の支持脚（６）により天板（７）を支持して成る個々に自立可能とされた複数台の足場（２）と、これら各足場（２）を相互接近させて設置した状態で一対の足場（２）の天板（７）相互間に架設される足場連結板（３）とを有しており、
前記足場連結板（３）は、天板（７）相互間に配置される板本体（１０）と、この板本体（１０）に隣接する天板（７）の板本体（１０）側の縁部側上面に上から載置されるように該板本体（１０）から突出した係合片（１５）と、板本体（１０）に上下動自在に支持され且つ前記係合片（１５）とで前記隣接する天板（７）の前記縁部側を挟むべく板本体（１０）側から天板（７）の前記縁部側の下方に突出された浮上防止片（１６）と、この浮上防止片（１６）が天板（７）の前記縁部側下端に接当するように該浮上防止片（１６）を上方に付勢するバネ（２１）とを備えてなり、
前記浮上防止片（１６）は、その突出端側に天板（７）の前記縁部側下端よりも上方に向けて突出するように設けられ且つ天板（７）の前記縁部側下端よりも水平方向内方側に位置するフック端（１６ａ）を備えており、
前記係合片（１５）と浮上防止片（１６）とで天板（７）の前記縁部側を挟むことにより、天板（７）に対する板本体（３）の上方移動及び天板（７）の前記縁部に直交する水平方向の移動及び天板（７）の前記縁部に沿う方向の移動が許容されるように足場連結板（３）が天板（７）に連結されるよう構成されていることを特徴とするシステム足場。
【請求項２】
前記足場（２）の天板（７）又は足場連結板（３）に対して梯子（４）が立て掛け状に連結されており、これら足場（２）の天板（７）又は足場連結板（３）と梯子（４）とを連結する連結部材（１１）が梯子（４）側に集中して設けられていることを特徴とする請求項１記載のシステム足場。
【請求項３】
複数本の支持脚（６）により天板（７）を支持して成る個々に自立可能とされた複数台の足場（２）に対しそれらが相互接近して設置された状態で一対の足場（２）の天板（７）相互間に架設される足場連結板であって、
前記各足場（２）を天板（７）の長手方向に沿って縦並べさせたときの天板（７）相互間へ架設可能になった板形状の板本体（１０）と、該板本体（１０）の長手方向両端部に設けられていて該板本体（１０）に隣接する天板（７）へ該板本体（１０）を連結するための連結部材（１１）とを有しており、
前記各連結部材（１１）は、板本体（１０）に隣接する天板（７）の板本体（１０）側の縁部側上面に上から載置されるように板本体（１０）から突出した係合片（１５）と、板本体（１０）に上下動自在に支持され且つ前記係合片（１５）とで前記隣接する天板（７）の前記縁部側を挟むべく板本体（１０）側から天板（７）の前記縁部側の下方に突出された浮上防止片（１６）と、この浮上防止片（１６）が天板（７）の前記縁部側下端に接当するように該浮上防止片（１６）を上方に付勢するバネ（２１）とを備えてなり、
前記浮上防止片（１６）は、その突出端側に天板（７）の前記縁部側下端よりも上方に向けて突出するように設けられ且つ天板（７）の前記縁部側下端よりも水平方向内方側に位置するフック端（１６ａ）を備えており、
前記係合片（１５）と浮上防止片（１６）とで天板（７）の前記縁部側を挟むことにより、天板（７）に対する板本体（１０）の上方移動及び天板（７）の前記縁部に直交する水平方向の移動及び天板（７）の前記縁部に沿う方向の移動が許容されるように板本体（１０）が天板（７）に連結されるよう構成されていることを特徴とする足場連結板。
【請求項４】
複数本の支持脚（６）により天板（７）を支持して成る個々に自立可能とされた複数台の足場（２）に対しそれらが相互接近して設置された状態で一対の足場（２）の天板（７）相互間に架設される足場連結板であって、
前記各足場（２）を天板（７）の短手方向に沿って横並べさせたときの天板（７）相互間へ架設可能になった板形状の板本体（１０）と、該板本体（１０）の短手方向両端部に設けられていて該板本体（１０）に隣接する天板（７）へ該板本体（１０）を連結するため連結部材（１１）とを有しており、
前記各連結部材（１１）は、板本体（１０）に隣接する天板（７）の板本体（１０）側の縁部側上面に上から載置されるように板本体（１０）から突出した係合片（１５）と、板本体（１０）に上下動自在に支持され且つ前記係合片（１５）とで前記隣接する天板（７）の前記縁部側を挟むべく板本体（１０）側から天板（７）の前記縁部側の下方に突出された浮上防止片（１６）と、この浮上防止片（１６）が天板（７）の前記縁部側下端に接当するように該浮上防止片（１６）を上方に付勢するバネ（２１）とを備えてなり、
前記浮上防止片（１６）は、その突出端側に天板（７）の前記縁部側下端よりも上方に向けて突出するように設けられ且つ天板（７）の前記縁部側下端よりも水平方向内方側に位置するフック端（１６ａ）を備えており、
前記係合片（１５）と浮上防止片（１６）とで天板（７）の前記縁部側を挟むことにより、天板（７）に対する板本体（１０）の上方移動及び天板（７）の前記縁部に直交する水平方向の移動及び天板（７）の前記縁部に沿う方向の移動が許容されるように板本体（１０）が天板（７）に連結されるよう構成されていることを特徴とする足場連結板。
【請求項５】
前記浮上防止片（１６）は板本体（１０）側に上下動自在に支持された根本部が上下軸回りに回動自在に支持されることで水平揺動自在に保持されており、該浮上防止片（１６）が天板（７）の縁部側下端に接当しているロック位置にある状態から該浮上防止片（１６）を引き下げて回動させることにより該浮上防止片（１６）が天板（７）と干渉しないアンロック位置へ退避可能になっていることを特徴とする請求項３又は請求項４記載の足場連結板。
【請求項６】
複数本の支持脚（６）により長方形の天板（７）を支持して成る自立可能とされた足場（２）に対して前記天板（７）に立て掛け状に連結される梯子であって、
梯子本体（４０）と、該梯子本体（４０）の上端部に設けられていて該梯子本体（４０）を天板（７）へ連結するための連結部材（１１）とを有しており、
前記各連結部材（１１）は、天板（７）の縁部側上面に上から載置されるように梯子本体（４０）から突出した係合片（１５）と、梯子本体（４０）に上下動自在に支持され且つ前記係合片（１５）とで天板（７）の前記縁部側を挟むべく梯子本体（４０）側から天板（７）の前記縁部側の下方に突出された浮上防止片（１６）と、この浮上防止片（１６）が天板（７）の前記縁部側下端に接当するように該浮上防止片（１６）を上方に付勢するバネ（２１）とを備えてなり、
前記浮上防止片（１６）は、その突出端側に天板（７）の前記縁部側下端よりも上方に向けて突出するように設けられ且つ天板（７）の前記縁部側下端よりも水平方向内方側に位置するフック端（１６ａ）を備えており、
前記係合片（１５）と浮上防止片（１６）とで天板（７）の前記縁部側を挟むことにより、天板（７）に対する梯子本体（４０）の上方移動及び天板（７）の前記縁部に直交する水平方向の移動及び天板（７）の前記縁部に沿う方向の移動が許容されるように梯子本体（４０）が天板（７）に連結されるよう構成されていることを特徴とする梯子。
【発明の詳細な説明】
【０００１】
【発明の属する技術分野】
本発明は、システム足場及び足場板及び梯子に関するものである。
【０００２】
【従来の技術】
従来、壁部上部や室内天井等の高い位置に対して内装や塗装、或いは電気工事等の各種の施工作業が必要な場合、作業ステージとしてのシステム足場を使用することがある。このシステム足場としては、例えば特許第２９９６３８５号公報や特許第２９９７４２７号公報等に記載のものが知られている。
これら公知のシステム足場は、複数本の支持脚により天板を支持して成る個々に自立可能とされた複数台の足場と、これら各足場を相互接近させて設置した状態で各足場の天板相互間に架設される足場連結板とを有したものとなっている。
【０００３】
そして、各足場の天板と足場連結板とを連結するための構造として、足場連結板側にフックや支持シャフトを設け、これらに対応させるかたちで足場の天板側にフック受枠やシャフト支持穴を設ける構造となっていた。
【０００４】
【発明が解決しようとする課題】
上記したように、従来公知のシステム足場では、足場連結板側に対してフックや支持シャフト等の連結用構造を設ける必要があるだけでなく、足場の天板側にもフック受枠やシャフト支持穴等の連結用構造を設ける必要があった。
ところが、足場連結板と足場とは必ずしも不可分一体のセットとして販売流通しているものではなく、破損や増備等の施工業者側における種々の事情に応じて買い足してゆくということがある。
【０００５】
そのため、例えば既に所有する足場（又は足場連結板）に設けられている連結用構造と、買い足そうとする足場連結板（又は足場）に設けられている連結用構造とを、メーカーや型番等に関して対応させる必要が出てくる。
従って、このような買い足しに関して非常に面倒であり、場合によっては年式違いによって（廃番のため）対応する製品が見つからないということもあった。このようなことは、このシステム足場に対して使用する梯子に関しても同じことが言えるものであった。
【０００６】
一方、従来公知のシステム足場において、足場と足場連結板との連結時に、フックとフック受枠とを係合させたり、又は支持シャフトとシャフト支持穴とを係合させたりした場合、それらの係合関係は一義的となっており、左右方向にもまた上下方向にも自由度が殆どない状態になる。
そのため、床面に段差や傾斜等がある現場や、スペースの関係で足場と足場連結板とを一直線に連結できないような現場では、システム足場としての組み立てができないということがあった。このことも、上記した梯子に関して略同じことが言えるものであった。
【０００７】
本発明は、上記事情に鑑みてなされたものであって、買い足し時等に関しての不都合を解消できるようにしたシステム足場及び足場板及び梯子を提供することを第一の目的とする。
また本発明は、足場と足場連結板或いは梯子の連結時において互いの自由度を広げて設置時の不都合を解消できるようにしたシステム足場及び足場板及び梯子を提供することを第二の目的とする。
【０００８】
【課題を解決するための手段】
前記目的を達成するために、本発明は次の手段を講じた。
即ち、本発に係るシステム足場は、複数本の支持脚により天板を支持して成る個々に自立可能とされた複数台の足場と、これら各足場を相互接近させて設置した状態で一対の足場の天板相互間に架設される足場連結板とを有したものであって、前記足場連結板は、天板相互間に配置される板本体と、この板本体に隣接する天板の板本体側の縁部側上面に上から載置されるように該板本体から突出した係合片と、板本体に上下動自在に支持され且つ前記係合片とで前記隣接する天板の前記縁部側を挟むべく板本体側から天板の前記縁部側の下方に突出された浮上防止片と、この浮上防止片が天板の前記縁部側下端に接当するように該浮上防止片を上方に付勢するバネとを備えてなり、
前記浮上防止片は、その突出端側に天板の前記縁部側下端よりも上方に向けて突出するように設けられ且つ天板の前記縁部側下端よりも水平方向内方側に位置するフック端を備えており、
前記係合片と浮上防止片とで天板の前記縁部側を挟むことにより、天板に対する板本体の上方移動及び天板の前記縁部に直交する水平方向の移動及び天板の前記縁部に沿う方向の移動が許容されるように足場連結板が天板に連結されるよう構成されている。
【０００９】
このような構成であると、足場においては、足場連結板と連結するための構造を何ら必要としない。従って、足場や足場連結板を買い足そうとする場合に、それらのメーカーや型番等を吟味する必要がなく、またメーカーや型番等に拘束されることもない。
従って、このような買い足しが簡単にできる。
なお、足場の天板又は足場連結板に対して立て掛け状に連結される梯子に関しても、これら足場の天板又は足場連結板と梯子とを連結する連結部材を梯子側に集中して設けるものとすれば、足場においては、梯子と連結するための構造を何ら必要としないので、やはり、足場や梯子を買い足そうとする場合に、それらのメーカーや型番等を吟味する必要がなく、またメーカーや型番等に拘束されることもないという利点が得られる。
【００１０】
一方、本発明に係る足場連結板は、各足場を天板の長手方向に沿って縦並べさせたときの天板相互間（縦方向空間）へ架設可能になった板形状の板本体と、この板本体の長手方向両端部に設けられた足場天板への連結部材とを有したものとする。
そして、前記各連結部材は、板本体に隣接する天板の板本体側の縁部側上面に上から載置されるように板本体から突出した係合片と、板本体に上下動自在に支持され且つ前記係合片とで前記隣接する天板の前記縁部側を挟むべく板本体側から天板の前記縁部側の下方に突出された浮上防止片と、この浮上防止片が天板の前記縁部側下端に接当するように該浮上防止片を上方に付勢するバネとを備えてなり、
前記浮上防止片は、その突出端側に天板の前記縁部側下端よりも上方に向けて突出するように設けられ且つ天板の前記縁部側下端よりも水平方向内方側に位置するフック端を備えており、
前記係合片と浮上防止片とで天板の前記縁部側を挟むことにより、天板に対する板本体の上方移動及び天板の前記縁部に直交する水平方向の移動及び天板の前記縁部に沿う方向の移動が許容されるように板本体が天板に連結されるよう構成したものとしている。
【００１１】
このような構成とすることで、足場の天板と足場連結板とを連結する連結部材を、足場連結板側に対して集中して設けることができるものである。
なお、このような足場連結板は、各足場を天板の短手方向に沿って横並べさせたときの天板相互間（横方向空間）へ架設するものとして実施することも可能である。
この場合は、この足場連結板の板本体として、その板形状を横並べされる天板相互間に好適なものにさせると共に、この板本体に対して、その短手方向両端部に足場天板への連結部材を設けたものとすればよい。
【００１２】
浮上防止片は、上方へ向けたバネ付勢状態に保持されたものとするのが好適である。
このようにすることで、係合片と浮上防止片との上下間に幾らかの遊びを設けることができる。従って、足場と足場連結板とを連結させた状態にしても、足場連結板は水平なまま、或いは傾かせながら上方へ幾らか持ち上げることができるようになる。また、足場と足場連結板との連結状態を、ある程度は左右方向へ曲げるようなことも可能となる。
【００１３】
そのため、システム足場を設置しようとする床面に段差や傾斜等がある現場や、またスペースの関係で足場と足場連結板とを一直線に連結できないような現場でも、システム足場を組み上げることが可能になる。
浮上防止片は、また、水平揺動自在に保持されており、足場の天板に前記係合片を故意的に係合離脱させるときには天板と干渉しないアンロック位置へ退避可能にするのが好適である。
このようにすることで、足場連結板を運搬したり収納したりする場合に、浮上防止片が邪魔になるのを防止できる。
【００１４】
一方、本発明に係る梯子は、梯子本体と、この梯子本体の上端部に設けられた足場天板への連結部材とを有したものとする。
そして、この連結部材は、天板の縁部側上面に上から載置されるように梯子本体から突出した係合片と、梯子本体に上下動自在に支持され且つ前記係合片とで天板の前記縁部側を挟むべく梯子本体側から天板の前記縁部側の下方に突出された浮上防止片と、この浮上防止片が天板の前記縁部側下端に接当するように該浮上防止片を上方に付勢するバネとを備えてなり、
前記浮上防止片は、その突出端側に天板の前記縁部側下端よりも上方に向けて突出するように設けられ且つ天板の前記縁部側下端よりも水平方向内方側に位置するフック端を備えており、
前記係合片と浮上防止片とで天板の前記縁部側を挟むことにより、天板に対する梯子本体の上方移動及び天板の前記縁部に直交する水平方向の移動及び天板の前記縁部に沿う方向の移動が許容されるように梯子本体が天板に連結されるよう構成したものとする。
【００１５】
【発明の実施の形態】
以下、本発明の実施の形態を、図面に基づき説明する。
図１は、本発明に係るシステム足場１の一実施形態についてその全体を示した斜視図である。
このシステム足場１は、複数台の足場２と、本発明に係る複数枚の足場連結板３とを有している。また、必要に応じて本発明に係る梯子４を取り付けることもできる。
【００１６】
この図１に示したシステム足場１の実施形態において、足場連結板３は、図２に抽出して示すように、第１実施形態のもの（以下、符号「３Ａ」で示す）を２枚と、第２実施形態のもの（以下、符号「３Ｂ」で示す）を３枚とを複合的に組み合わせて使用している。
なお、足場２は、複数本の支持脚６（一般的には４本）によって天板７を支持して成るもので、それ自体、支持脚６によって個々に自立可能となっている。この足場２には、足場連結板３Ａ，３Ｂを連結させるための特別な連結構造は何ら採用されていない。
【００１７】
従って、従来公知の足場をそのまま使用することもできる。
天板７は長方形状又は正方形状に形成されており（図例では長方形）、支持脚６のうち、天板７の短辺側に設けられたもの同士が上下複数段の横桟８によって連結されている。これら各横桟８は、梯子として天板７への昇り降りに使用することが可能である。また、これら横桟８によって連結されて対を成している両支持脚６は、互いに一体のまま、天板７の裏面側への折り畳み収納が可能になっている。
【００１８】
支持脚６及び天板７は、それぞれアルミ合金製等とされている。
図３に示すように、第１実施形態の足場連結板３Ａは、板本体１０と連結部材１１とを有している。
板本体１０は、各足場２を天板７の長手方向に沿って縦並べさせたときに、それらの天板７相互間（縦方向空間）へ架設可能になる板形状に形成されている。具体的には、この板形状は例えば、足場２の天板７と縦横寸法が略等しい長方形状とすればよい。
【００１９】
また、この板本体１０はアルミ合金製等とすればよい。
この板本体１０の表面には突起や凹溝、格子状乃至網状突条などによる滑止め１２を設けておくのが好ましい。また、排水効果や軽量化を目的として貫通孔１３を設けておくのもよい。
連結部材１１は、板本体１０の長手方向両端部に設けられている。
図４に示すように、この連結部材１１は係合片１５と浮上防止片１６とを有している。
【００２０】
係合片１５は、板本体１０における長手方向の端部から、この端部に隣接されることになる足場２の天板７に対してその上から係合可能となるように突出して設けられたものである。
これにより、２台の足場２を天板７の長手方向に沿って互いに所定間隔で縦並べさせたときに、それらの天板７相互間（縦方向空間）へこの足場連結板３Ａを預け置くようなかたちにして架設可能になっている。
本第１実施形態では、断面Ｌ字状に形成された押出材を板本体１０の短手方向寸法に合わせて切断し、これを溶接又はボルト止めにより板本体１０の長手方向両端部へ取り付けてある。
【００２１】
浮上防止片１６は、係合片１５の下方側に設けられたもので（従って、板本体１０における長手方向の端部に相当）、足場２の天板７に対してその上面に上記係合片１５を係合させたときには、この浮上防止片１６を天板７の下部のロック位置へ突出させることができるようになっている。
これにより、足場２の天板７から足場連結板３Ａが浮き上がろうとしても、この浮上防止片１６が天板７の下端に当接して邪魔になり、足場連結板３Ａの浮き上がりが防止されるものである。
【００２２】
図６及び図７に示すように、本第１実施形態において浮上防止片１６は、一つの係合片１５に対して２個一組で配されている。また、これら浮上防止片１６は、丸棒材をＬ形に折曲すると共に、更にその先端にフック端１６ａを折曲形成させることによって形成してある。
これら浮上防止片１６の板本体１０への取り付けは、内空部１７を有した角パイプ材等より成るブラケット部材１８を係合片１５の下部側に取り付けたうえで、浮上防止片１６の根本側の端部（フック端１６ａとは反対側の端部）を、このブラケット部材１８の下側から上方へ突き抜けさせるように差し込むと共に、このブラケット部材１８の内空部１７を通り抜ける部分の上部寄りにバネ止め２０を設けて、このバネ止め２０の下位側にバネ２１を挿通させる構造としている。
【００２３】
このような構造であるため、この浮上防止片１６は、所定ストロークで上下動自在でありつつも、バネ２１のバネ力によって上方へ向けた付勢状態に保持されていることになる。しかも、この浮上防止片１６は、その根本部を中心として水平揺動自在となっている（図６参照）。
従って、図４に示したように足場２の天板７に対してその上面に上記係合片１５を係合させ、且つこの天板７の下部へ浮上阻止片１６を突出させた状態（即ち、ロック位置に設定した状態）から、図５に示すように浮上防止片１６を下方へ所定量だけ引き下げることが可能であり、またこの引き下げ状態のまま浮上防止片１６を水平揺動させれば、浮上防止片１６を天板７の下端に邪魔とならない状態（即ち、アンロック位置に設定した状態）にでき、足場２の天板７上から足場連結板３Ａをそのまま上方へ引き上げて取り外すことができることになる。
【００２４】
また、図４に示した足場２と足場連結板３Ａとの連結状態において、係合片１５と浮上防止片１６との上下間にバネ２１の伸縮量に応じた幾らかの遊びを設けることが可能になるから、両者の連結状態を固定とせずに、ある程度、自由度を持たせることができるものとなる。
そのため、足場２と足場連結板３Ａとを相対的に上下方向で屈曲させたり、或いはこれら足場２と足場連結板３Ａとを左右方向へ曲げたりするといったことが、所定範囲内で許容されることになる。
【００２５】
これにより、システム足場１を設置しようとする床面に段差や傾斜等がある現場や、またスペースの関係で足場２と足場連結板３Ａとを一直線に連結できないような現場でも、システム足場１を組み上げることが可能になる。
浮上防止片１６を水平揺動自在に保持させてあることは、上記のように浮上防止片１６をアンロック位置へ設定したときに、足場連結板３Ａを運搬したり収納したりするうえでこの浮上防止片１６を邪魔にならないように収納できることになり、好適である。
【００２６】
この場合における浮上防止片１６のアンロック状態を維持させやすくするために、図６及び図７に示したように、ブラケット部材１８の下面に、浮上防止片１６のフック端１６ａを嵌め入れるフック収納孔２５を設けておくと便利である。
本第１実施形態では、浮上防止片１６を故意的に上下動させるときの操作が容易となるようにするために、浮上防止片１６にリング部品より成るツマミ２４を設けている。
一方、図９に示すように、第２実施形態の足場連結板３Ｂは、基本的には上記した第１実施形態の足場連結板３Ａと略同じ構成であって、板本体１０と連結部材１１とを有したものとなっている。
【００２７】
この第２実施形態の足場連結板３Ｂが第１実施形態の足場連結板３Ａと最も異なるところは、この第２実施形態の足場連結板３Ｂが、各足場２を天板７の短手方向に沿って横並べさせたときの天板７相互間（横方向空間）へ架設するものとして形成されている点にある。
尤も、この板本体１０の具体的な形状としては、足場２の天板７と縦横寸法が略等しい長方形状とすればよいため、この点でも違いはないが、要は、この板本体１０に対してその短手方向両端部に連結部材１１が設けられている点で顕著な違いが生じている（第１実施形態の足場連結板３Ａでは板本体１０の長手方向両端部に連結部材１１が設けられている）。
【００２８】
図１０に示すように、この連結部材１１は係合片１５と浮上防止片１６とを有したものであり、これら係合片１５や浮上防止片１６の各細部構造や部材形状などは、第１実施形態の場合と略同様である。またそのため、これら係合片１５や浮上防止片１６の各作用や使用状況などについても第１実施形態の場合と略同様である。
ただ、本第２実施形態で採用する係合片１５は、板本体１０における長手方向の両端寄り部分の合計４カ所で、横方向（図９の上下方向）へ向けて半円状に突出したものとされている。
【００２９】
また、個々の係合片１５に対してそれぞれ１対１対応で浮上防止片１６が配されたものとなっている。
そして、各浮上防止片１６を板本体１０へ取り付けるためのブラケット部材１８は、内空部１７を有した角パイプ材等を、図１２に示すように小型の台形状に切断することによって形成してあり、これを各係合片１５に対応させて板本体１０へ取り付けてある。
図１（なお図２参照）に示したように、本発明に係るシステム足場１は、その四隅部へ四台の足場２を互いに所定間隔で配置し、そのうち各足場２の天板７が長手方向に沿って互いに所定間隔で縦並べされている相互間（縦方向空間）へ第１実施形態の足場連結板３Ａを架設し、また各足場２の天板７が短手方向に沿って互いに所定間隔で横並べされている相互間（横方向空間）へ第２実施形態の足場連結板３Ｂを架設し、更に、四台の足場２から等距離となる中央配置の空間（第１実施形態の足場連結板３Ａ同士の列と第２実施形態の足場連結板３Ｂ同士の列とがクロスする配置部）へ、第２実施形態の足場連結板３Ｂ（又は第１実施形態の足場連結板３Ａでもよい）を架設するようにしたものである。
【００３０】
このシステム足場１としては、図１３に示すように、足場２を２台と、第２実施形態の足場連結板３Ｂを１枚とを使用して横連結のみのタイプに組み立てたり、図１４に示すように、足場２を２台と、第１実施形態の足場連結板３Ａを１枚とを使用して縦連結のみのタイプに組み立てたりすることも可能である。
また、図１５に示すように、第１実施形態の足場連結板３Ｂ（連結部材１１を長手方向両端部に有する連結板）の連結部材１１を天板７の短手方向端部に連結することもできる。なお、図１５の例では、平面視でほぼＨ型となるように、足場２，２相互間が足場連結板３Ｂで架設されている。勿論、その他にも、施工現場に応じた任意のタイプに組み立てることが可能である。
【００３１】
図１６及び図１７は、本発明に係る梯子４（図１も併せて参照）を示している。
この梯子４は、梯子本体４０と、この梯子本体４０の上端部に設けられた連結部材１１とを有したものである。
梯子本体４０は、左右一対の支持脚４１と、これら両支持脚４１の相互間に上下方向に所定間隔で設けられた複数本のステップ桟４２とを有したものである。また、両支持脚４１の上端部間には、小型天板４３が設けられている。
【００３２】
連結部材１１は、第１実施形態の足場連結板３Ａや第２実施形態の足場連結板３Ｂが具備する連結部材１１と略同じもので、係合片１５と浮上防止片１６とを有している。
これら係合片１５や浮上防止片１６の各細部構造や部材形状、作用及び使用状況などについての詳説はここでは省略する。
小型天板４３は、両支持脚４１側へ折り畳み自在としておくのが好適である。また、両支持脚４１には、高さ調節用の伸縮脚４５を出し入れ自在に設けておいて、伸出長さの調節ができるようにしておくのが好適である。
【００３３】
このような梯子４は、図１、図１３、図１４等に示すように、足場２の天板７や第１実施形態の足場連結板３Ａ、場合によっては第２実施形態の足場連結板３Ｂ（その短辺部）などへ、連結部材１１を介して立て掛けるようにして連結することができる。
ところで、本発明は、上記した各実施形態以外にも、更に実施の形態に応じて適宜変更可能である。
【００３４】
【発明の効果】
以上の説明から明らかなように、本発明に係るシステム足場及び足場板及び梯子では、足場の天板と足場連結板とを連結するための連結部材が足場連結板側に集中して設けられ、また足場の天板や足場連結板と梯子とを連結するための連結部材が梯子側に集中して設けられているため、足場側においてこのような連結部材は一切不要となり、もって、買い足し時等に関しての不都合を解消できるようになった。
【００３５】
また本発明に係るシステム足場及び足場板及び梯子では、それらの連結に用いる浮上防止片を上方へ向けたバネ付勢状態に保持しているため、足場と足場連結板、或いは足場と梯子とを連結状態にしても、所定範囲で上下方向への相対的な屈曲や左右方向への揺動が許容され、結果、設置時の自由度が広がることになる。
【図面の簡単な説明】
【図１】  本発明に係るシステム足場の一実施形態を示した斜視図である。
【図２】  図１中から本発明に係る第１実施形態及び第２実施形態の足場連結板だけを抽出して示した斜視図である。
【図３】  第１実施形態の足場連結板を示した平面図である。
【図４】  図３のＡ−Ａ線矢視に相当させて連結部材を示した側面図である。
【図５】  図４からの操作状況の過程を示した側面図である。
【図６】  図４のＢ−Ｂ線矢視図である。
【図７】  図６のＣ−Ｃ線矢視図である。
【図８】  図７のＤ−Ｄ線拡大矢視図である。
【図９】  第２実施形態の足場連結板を示した平面図である。
【図１０】  図９のＥ−Ｅ線矢視に相当させて連結部材を示した側面図である。
【図１１】  図１０からの操作状況の過程を示した側面図である。
【図１２】  図１０のＦ−Ｆ線矢視図である。
【図１３】  本発明に係るシステム足場として横連結のみのタイプに組み立てた例を示した斜視図である。
【図１４】  本発明に係るシステム足場として縦連結のみのタイプに組み立てた例を示した斜視図である。
【図１５】  本発明に係るシステム足場として足場と足場連結板をＨ型に組み立てた例を示した斜視図である。
【図１６】  本発明に係る梯子の一実施形態を示した正面図である。
【図１７】  図１６に対応する側面図である。
【符号の説明】
１      システム足場
２      足場
３      足場連結板
３Ａ    第１実施形態の足場連結板
３Ｂ    第２実施形態の足場連結板
４      梯子
６      支持脚
７      天板
１０      板本体
１１      連結部材
１５      係合片
１６      浮上防止片
２１      バネ
４０      梯子本体
【図１】
0003899250.tif 000002
【図２】
0003899250.tif 000003
【図３】
0003899250.tif 000004
【図４】
0003899250.tif 000005
【図５】
0003899250.tif 000006
【図６】
0003899250.tif 000007
【図７】
0003899250.tif 000008
【図８】
0003899250.tif 000009
【図９】
0003899250.tif 000010
【図１０】
0003899250.tif 000011
【図１１】
0003899250.tif 000012
【図１２】
0003899250.tif 000013
【図１３】
0003899250.tif 000014
【図１４】
0003899250.tif 000015
【図１５】
0003899250.tif 000016
【図１６】
0003899250.tif 000017
【図１７】
0003899250.tif 000018